(57)【要約】【課題】本発明は、目的階以外の乗場の動画もかご内に表示することができ、防犯のサービスを向上させることができるエレベータの防犯装置を得ることを目的とするものである。【解決手段】かご２内の動画表示装置には、第１及び第２表示部１２，１３が設けられている。各階の乗場に設けられた動画取得装置９により取得される動画は、動画表示制御部８により選択され、第１及び第２表示部１２，１３に配信される。動画表示制御部８は、運転制御部５に対する目的階の登録に応じて、目的階の動画を第１表示部１２に配信し、かご２が次に停止可能な階の動画を第２表示部１３に配信する。【選択図】図３
2006008332.tif 000002
【特許請求の範囲】
【請求項１】
乗場の動画を取得するための複数の動画取得装置、
かご内に設けられている動画表示装置、及び
上記かごの昇降を制御する運転制御部に対する目的階の登録に応じて、上記動画取得装置により取得される動画のうち目的階と上記かごが次に停止可能な階との動画を上記動画表示装置に表示させる動画表示制御部
を備えていることを特徴とするエレベータの防犯装置。
【請求項２】
上記動画表示制御部は、上記かご内からの呼びの登録が存在しないことを上記運転制御部から受けると、上記動画表示装置を消灯することを特徴とする請求項１記載のエレベータの防犯装置。
【請求項３】
上記動画表示制御部は、上記かごの目的階への走行中、次に停止可能な階の変更情報と目的階の更新情報とを上記運転制御部から受けることを特徴とする請求項１又は請求項２に記載のエレベータの防犯装置。
【請求項４】
乗場の動画を取得するための複数の動画取得装置、
かご内に設けられ、第１及び第２表示部を有している動画表示装置、及び
上記動画取得装置により取得される動画のうち、互いに異なる２つの階の動画を上記第１及び第２表示部に選択的に表示させる動画表示制御部
を備えていることを特徴とするエレベータの防犯装置。
【発明の詳細な説明】
【技術分野】
【０００１】
この発明は、かご内の動画表示装置に乗場の動画を表示させるエレベータの防犯装置に関するものである。
【背景技術】
【０００２】
従来のエレベータの防犯装置では、乗客がかご内の行先階ボタンを操作することにより、指定された乗場の動画がかご内の表示装置に表示される。これにより、かご内の乗客は、行先階に不審者がいないかどうかを事前に確認することができる（例えば、特許文献１参照）。
【０００３】
【特許文献１】特開平１１−１３０３５４号公報
【発明の開示】
【発明が解決しようとする課題】
【０００４】
しかし、従来の防犯装置では、かごの走行中に目的階の乗場に不審者が現れた場合、他の階の乗場が安全かどうかを確認することができなかった。
【０００５】
この発明は、上記のような課題を解決するためになされたものであり、目的階以外の乗場の動画もかご内に表示することができ、防犯のサービスを向上させることができるエレベータの防犯装置を得ることを目的とする。
【課題を解決するための手段】
【０００６】
この発明に係るエレベータ防犯装置は、乗場の動画を取得するための複数の動画取得装置、かご内に設けられている動画表示装置、及びかごの昇降を制御する運転制御部に対する目的階の登録に応じて、動画取得装置により取得される動画のうち目的階とかごが次に停止可能な階との動画を動画表示装置に表示させる動画表示制御部を備えている。
【発明の効果】
【０００７】
この発明のエレベータの防犯装置は、目的階の動画に加えて、かごが次に停止可能な階の動画をかご内の動画表示装置に表示させるので、目的階に不審者が確認された場合に、目的階を次に停止可能な階に変更することで不審者との遭遇を回避することができ、防犯のサービスを向上させることができる。
【発明を実施するための最良の形態】
【０００８】
以下、この発明を実施するための最良の形態について、図面を参照して説明する。
実施の形態１．
図１はこの発明の実施の形態１によるエレベータ装置を示す構成図である。図において、昇降路１内には、かご２及び釣合おもり（図示せず）が設けられている。かご２及び釣合おもりは、複数本の主ロープ３により昇降路１内に吊り下げられ、昇降路１内を昇降される。
【０００９】
昇降路１の上部には、機械室４が設けられている。機械室４内には、かご２及び釣合おもりを昇降させる巻上機（図示せず）が設置されている。主ロープ３は、巻上機の駆動シーブに巻き掛けられている。また、機械室４内には、巻上機の運転を制御することによりかご２の昇降を制御する運転制御部（制御盤）５が設置されている。
【００１０】
かご２内には、目的階を登録するためのかご内ボタン装置（行先階ボタン装置）６と、動画を表示するための動画表示装置（テレビモニタ）７とが設けられている。機械室４内には、動画表示装置７に表示する動画を制御する動画表示制御部８が設置されている。即ち、動画表示装置７は、動画表示制御部８に接続されている。
【００１１】
各エレベータ停止階の乗場には、乗場の動画を取得するための動画取得装置（テレビカメラ）９がそれぞれ設置されている。動画取得装置９からの信号は、動画表示制御部８に送られる。即ち、全ての動画取得装置９は、動画表示制御部８に接続されている。また、動画表示制御部８は、運転制御部５に接続されている。
【００１２】
各乗場には、乗場からかご２の呼びを登録するための乗場ボタン装置１０が設置されている。かご内ボタン装置６及び全ての乗場ボタン装置１０は、運転制御部５に接続されている。運転制御部５及び動画表示制御部８とかご内ボタン装置６及び動画表示装置７との間の信号の授受は、制御ケーブル１１を介して行われる。
【００１３】
図２は図１の動画表示装置７を示す正面図である。動画表示装置７には、互いに異なる動画を同時に表示可能な第１及び第２表示部１２，１３が設けられている。第１及び第２表示部１２，１３は、互いに同じ面積の画面を有しており、上下に並べて配置されている。また、この例では、第１及び第２表示部１２，１３は、それぞれ独立した表示装置として構成されている。これらの表示装置としては、例えば液晶表示装置等を用いることができる。
【００１４】
動画表示制御部８は、動画取得装置９により取得される動画のうち、互いに異なる２つの階の乗場の動画を第１及び第２表示部１２，１３に選択的に表示させる。具体的には、動画表示制御部８は、運転制御部５に対する目的階の登録に応じて、動画取得装置９により取得される動画のうち、目的階の動画を第１表示部１２に表示させ、かご２が次に停止可能な階の動画を第２表示部１３に表示させる。
【００１５】
第１及び第２表示部１２，１３の表示には、乗場の動画に加えて、例えば表示している乗場が「目的階」や「次に停止可能な階」である旨の説明、及び表示している乗場が何階の乗場であるかの説明等を含むことができる。
【００１６】
次に、図３は図１のエレベータの防犯装置を示すブロック図である。運転制御部５には、動画表示制御部８に配信させる動画の階床を指定する配信動画指定手段１４が設けられている。また、動画表示制御部８には、配信動画指定手段１４により指定された階床の乗場の動画を第１及び第２表示部１２，１３に配信する動画配信手段１５が設けられている。
【００１７】
次に、動作について説明する。図４は図３の配信動画指定手段１４の動作を示すフローチャートである。かご２がいずれかの階に停止待機している状態から、かご呼び又は乗場呼びが登録されて目的階が発生すると、まずかご呼びが存在するかどうかが確認される（ステップＳ１）。かご呼びが存在しなければ、目的階の発生は乗場からの呼びのみによるものであると判断される。この場合、かご２内には、乗客がいないと判断され、目的階も次に停止可能な階も無いことが動画配信手段１５に対して通知される（ステップＳ６、７）。これにより、第１及び第２表示部１２，１３が消灯されたまま、かご２が目的階へ移動される。
【００１８】
これに対して、かご呼びが存在した場合には、進行方向で最も近い目的階が動画配信手段１５に通知される（ステップＳ２）。続いて、進行方向で最も近い停止可能な階が動画配信手段１５に通知される（ステップＳ３）。
【００１９】
通常、運転制御部５では、走行中に受けた新たな呼び登録の要求に対して呼び登録が可能かどうかを判断するため、次に停止可能な階の情報が常時求められている。次に停止可能な階は、かご２の停止中は走行する方向に隣接する階であるが、かご２の走行中は、かご２の速度及び加減速度も考慮して決められるので、必ずしも次の階とは限らず、２階以上離れた階となることもある。また、次に停止可能な階が目的階である場合には、目的階と同じ階が動画配信手段１５に通知されることになる。
【００２０】
次に停止可能な階の通知後、かご２が現在目的階に位置するかどうかが確認される（ステップＳ４）。即ち、かご２が既に目的階に到着したかどうかが確認される。かご２がまだ目的階に到着していなければ、かご２の移動により次に停止可能な階が変化したかどうかが確認される（ステップＳ８）。次に停止可能な階も変化していなければ、目的階が新たに発生していないかが確認される（ステップＳ９）。これは、目的階への移動中にも、かご２内又は乗場から新たな呼びが登録される可能性があるからである。目的階が新たに発生した場合には、かご呼びが存在するかどうかの確認（ステップＳ１）からの動作が再度実行される。
【００２１】
かご２が目的階へ向けて走行している間は、次に停止可能な階が変化したかどうかの確認（ステップＳ８）と、目的階が新たに発生したかどうかの確認（ステップＳ９）とが継続して実行される。そして、かご２が目的階に近づくにつれて次に停止可能な階が変化すると、その都度、次に停止可能な階が動画配信手段１５に通知される（ステップＳ３）。
【００２２】
この後、かご２が目的階に到着すると、次の目的階が存在するかどうかが確認される（ステップＳ５）。次の目的階が存在する場合は、かご呼びが存在するかどうかの確認（ステップＳ１）からの動作が実行される。
【００２３】
かご２が目的階に到着し、次の目的階も存在しない場合、目的階も次に停止可能な階も無いことが動画配信手段１５に対して通知される（ステップＳ６、７）。そして、かご２は、その階で停止待機状態となり、目的階の発生を待つことになる。
【００２４】
次に、図５は図３の動画配信手段１５の動作を示すフローチャートである。配信動画指定手段１４から動画配信手段１５に通知される情報は、目的階に関する情報、又は次に停止可能な階に関する情報である。従って、配信動画指定手段１４から動画配信手段１５に情報が通知されると、まず目的階に関する通知かどうかが確認される（ステップＳ１１）。即ち、どちらの情報であるかが確認される。
【００２５】
目的階に関する情報が通知された場合、目的階が存在するかどうかが確認される（ステップＳ１２）。目的階が存在すれば、通知された目的階の乗場の動画が選択され第１表示部１２に配信される。また、目的階が存在せず、かつ予め設定された所定時間通知を受けなかった場合（ステップＳ１４）、第１表示部１２に消灯指令が出力される（ステップＳ１５）。目的階が存在しない場合も、通知を受け付ける状態のまま、所定時間内は第１表示部１２の表示が続けられる。これにより、かご２が目的階に到着した途端に、第１表示部１２の表示が消灯されることはない。
【００２６】
一方、配信動画指定手段１４からの情報が目的階に関する情報でない場合は、次に停止可能な階に関する情報であると判断される。そして、次に停止可能な階が存在するかどうかが確認される（ステップＳ１６）。次に停止可能な階が存在すれば、通知された次に停止可能な階の乗場の動画が選択され第２表示部１３に配信される（ステップＳ１７）。また、次に停止可能な階が存在せず、かつ予め設定された所定時間通知を受けなかった場合（ステップＳ１８）、第２表示部１３に消灯指令が出力される（ステップＳ１９）。
【００２７】
このようなエレベータの防犯装置では、動画表示装置７に目的階の乗場及び次に停止可能な階の乗場の動画が自動的かつ同時に表示されるため、目的階の乗場に不審者が確認された場合、かご内ボタン装置６を操作して目的階を次に停止可能な階に変更することにより、不審者が確認された最初の目的階に降車せずに済み、不審者との遭遇を避けることができる。これにより、防犯のサービスを向上させることができる。
【００２８】
また、かご呼びの有無を確認することにより、かご２内に乗客がいないと判断された場合には、動画表示装置７を消灯するようにしたので、節電をすることができる。
さらに、目的階への走行中は、次に停止可能な階が変化したかどうかの確認と、目的階が新たに発生したかどうかの確認とが継続して実行されるので、かご２の位置の変化や目的階の更新に随時対応することができる。
【００２９】
なお、上記の例では、動画表示装置７に２つの表示部１２，１３が設けられているが、３つ以上の表示部を設け、３階分以上の乗場の動画を表示するようにしてもよい。例えば、３つの表示部があれば、２つの目的階が登録されている場合に、次に停止可能な階、１番目の目的階、及び２番目の目的階の動画を表示することができる。そして、１番目の目的階に不審者が確認された場合、１番目の目的階の登録をキャンセルして２番目の目的階で降車するという選択も可能である。また、２番目の目的階に不審者が確認された場合、２番目の目的階で降車予定の乗客が１番目の目的階で降車してしまうという選択も可能である。
【００３０】
また、上記の例では第１及び第２表示部１２，１３を同一サイズとしたが、例えば目的階を表示する方の表示部を大きくするなど、第１及び第２表示部は互いに異なるサイズとしてもよい。
さらに、第１及び第２表示部１２，１３は、１つの表示装置の画面を分割することにより構成してもよい。
【００３１】
さらにまた、図１では、全てのエレベータ停止階に動画取得装置９が設置されているが、例えばプライバシーが優先される場合や十分なセキュリティが確保されている階が存在する場合などには、必ずしも全てのエレベータ停止階に動画取得装置を設けなくてもよい。
また、動画表示制御部８は、運転制御部５と一体に設けてもよい。即ち、共通の制御盤内に運転制御部と動画表示制御部とを設けてもよい。
【００３２】
さらに、上記の例では運転制御部５や動画表示制御部８を機械室４内に設置したが、例えば昇降路内など、機械室以外の場所に設置してもよい。即ち、この発明は機械室レスエレベータにも適用できる。また、動画表示制御部をかごに搭載したり乗場に設置したりしてもよい。
さらにまた、かご内ボタン装置６により目的階が変更された場合、変更前の目的階の動画を動画表示制御部８内に設けた記憶部に所定期間保管するようにしてもよく、不審者が写っている可能性のある画像を後から確認することができる。
【図面の簡単な説明】
【００３３】
【図１】この発明の実施の形態１によるエレベータ装置を示す構成図である。
【図２】図１の動画表示装置を示す正面図である。
【図３】図１のエレベータの防犯装置を示すブロック図である。
【図４】図３の配信動画指定手段の動作を示すフローチャートである。
【図５】図３の動画配信手段の動作を示すフローチャートである。
【符号の説明】
【００３４】
２  かご、５  運転制御部、７  動画表示装置、８  動画表示制御部、９  動画取得装置、１２  第１表示部、１３  第２表示部。
【図１】
2006008332.tif 000003
【図２】
2006008332.tif 000004
【図３】
2006008332.tif 000005
【図４】
2006008332.tif 000006
【図５】
2006008332.tif 000007